(57)【要約】【課題】  本発明は、簡単な操作で、見たい番組を容易に探し出すことができるチャンネル変更装置を提供する。【解決手段】  放送受信装置のチャンネルを切換えることができるチャンネル変更装置であって、複数のチャンネルに対応する複数のチャンネルボタン５と、１つまたは複数のチャンネルを記憶する記憶手段と、前記記憶手段に記憶されたチャンネルを確認するためのお勧めボタン４とを有し、前記お勧めボタン４の操作により、前記記憶手段に記憶されたチャンネルに対応するチャンネルボタンと、他のチャンネルボタンを異なった状態にして識別することを特徴とする。【選択図】  図１
2005167729.tif 000002
【特許請求の範囲】
【請求項１】
放送受信装置のチャンネルを切換えることができるチャンネル変更装置であって、
複数のチャンネルに対応する複数のチャンネルボタンと、
１つまたは複数のチャンネルを記憶する記憶手段と、
前記記憶手段に記憶されたチャンネルを確認するための操作手段とを有し、
前記操作手段の操作により、前記記憶手段に記憶されたチャンネルに対応するチャンネルボタンと、他のチャンネルボタンを異なった状態にして識別することを特徴とするチャンネル変更装置。
【請求項２】
前記チャンネルボタンを点灯させる発光手段を有し、前記操作手段の操作により、前記記憶手段に記憶されたチャンネルに対応するチャンネルボタンを点灯させることを特徴とする請求項１に記載のチャンネル変更装置。
【請求項３】
前記記憶手段は、１つまたは複数のチャンネルがジャンルとともに記憶され、前記操作手段の操作により、前記記憶手段に記憶されたチャンネルに対応するチャンネルボタンの点灯の色を、ジャンル毎に異ならせることを特徴とする請求項２に記載のチャンネル変更装置。
【請求項４】
前記チャンネルボタンを振動させる振動手段を有し、前記操作手段の操作により、前記記憶手段に記憶されたチャンネルに対応するチャンネルボタンを振動させることを特徴とする請求項１に記載のチャンネル変更装置。
【請求項５】
前記チャンネルボタンの高さを変更する可変手段を有し、前記操作手段の操作により、前記記憶手段に記憶されたチャンネルに対応するチャンネルボタンの高さを他のチャンネルボタンの高さと異ならせることを特徴とする請求項１に記載のチャンネル変更装置。
【請求項６】
放送受信装置のチャンネルを切換えることができるチャンネル変更装置であって、
表示手段と、
１つまたは複数のチャンネルを記憶する記憶手段と、
前記記憶手段に記憶されたチャンネルを確認するための操作手段とを有し、
前記操作手段の操作により、前記記憶手段に記憶されたチャンネルを、前記表示手段に表示させることを特徴とするチャンネル変更装置。
【請求項７】
放送受信装置のチャンネルを切換えることができるチャンネル変更装置であって、
タッチパネルとして作用する表示手段と、
１つまたは複数のチャンネルを記憶する記憶手段と、
前記記憶手段に記憶されたチャンネルを確認するための操作手段とを有し、
前記操作手段の操作により、前記記憶手段に記憶されたチャンネルに対応する操作キーを、他のチャンネルの操作キーと識別可能に前記表示手段に表示させることを特徴とするチャンネル変更装置。
【発明の詳細な説明】
【技術分野】
【０００１】
本発明は、テレビジョン受像機等の放送受信装置に用いられるリモコン等のチャンネル変更装置に関する。
【背景技術】
【０００２】
近年、テレビジョン放送は、地上波放送に加えて、衛生放送（ＢＳ放送）、通信衛星による放送（ＣＳ放送）、ケーブルテレビの放送（ＣＡＴＶ放送）等の受信も可能になり、選択できるチャンネル数は増加する傾向にある。チャンネル数の増加に伴い、見たい番組を探し出すことが煩雑になっていく。
そこで、見たい番組のチャンネルをジャンル別に登録して、リモコンでジャンルを指定することにより、登録されているチャンネルをテレビジョン受像機にテキスト表示または登録されているチャンネルの番組を多画面として表示させて、テレビ画面を見ながらチャンネルを選択することが提案されている（特許文献１）。
また、リモコンのお勧めボタンを操作することにより、過去のチャンネル履歴情報に基づき、現在時刻に提供可能でこの時間帯によく視聴しているチャンネルに切り替えることが提案されている（特許文献２）。
【特許文献１】特開平１０−１３６２７６号公報
【特許文献２】特開２００１−２７５０４８号公報
【発明の開示】
【発明が解決しようとする課題】
【０００３】
しかしながら、特許文献１に記載の装置は、テレビ画面上に表示された多画面またはテキスト表示を見ながら選択しなければならず、操作に手間がかかるものであった。特許文献２に記載の装置は、お勧めボタンを押すまでどのチャンネルが表示されるのかわからず、また選択肢がないため不便なものであった。
本発明は、このような問題点に鑑みなされたものであり、簡単な操作で、見たい番組を容易に探し出すことができるチャンネル変更装置を提供するものである。
【課題を解決するための手段】
【０００４】
本発明は、放送受信装置のチャンネルを切換えることができるチャンネル変更装置であって、複数のチャンネルに対応する複数のチャンネルボタンと、１つまたは複数のチャンネルを記憶する記憶手段と、前記記憶手段に記憶されたチャンネルを確認するための操作手段とを有し、前記操作手段の操作により、前記記憶手段に記憶されたチャンネルに対応するチャンネルボタンと、他のチャンネルボタンを異なった状態にして識別することを特徴とする。
前記チャンネルボタンを点灯させる発光手段を有し、前記操作手段の操作により、前記記憶手段に記憶されたチャンネルに対応するチャンネルボタンを点灯させることを特徴とする。
前記記憶手段は、１つまたは複数のチャンネルがジャンルとともに記憶され、前記操作手段の操作により、前記記憶手段に記憶されたチャンネルに対応するチャンネルボタンの点灯の色を、ジャンル毎に異ならせることを特徴とする。
前記チャンネルボタンを振動させる振動手段を有し、前記操作手段の操作により、前記記憶手段に記憶されたチャンネルに対応するチャンネルボタンを振動させることを特徴とする。
前記チャンネルボタンの高さを変更する可変手段を有し、前記操作手段の操作により、前記記憶手段に記憶されたチャンネルに対応するチャンネルボタンの高さを他のチャンネルボタンの高さと異ならせることを特徴とする。
本発明は、放送受信装置のチャンネルを切換えることができるチャンネル変更装置であって、表示手段と、１つまたは複数のチャンネルを記憶する記憶手段と、前記記憶手段に記憶されたチャンネルを確認するための操作手段とを有し、前記操作手段の操作により、前記記憶手段に記憶されたチャンネルを、前記表示手段に表示させることを特徴とする。
本発明は、放送受信装置のチャンネルを切換えることができるチャンネル変更装置であって、タッチパネルとして作用する表示手段と、１つまたは複数のチャンネルを記憶する記憶手段と、前記記憶手段に記憶されたチャンネルを確認するための操作手段とを有し、前記操作手段の操作により、前記記憶手段に記憶されたチャンネルに対応する操作キーを、他のチャンネルの操作キーと識別可能に前記表示手段に表示させることを特徴とする。
【発明の効果】
【０００５】
本発明によれば、簡単な操作で、見たい番組を容易に探し出すことができるチャンネル変更装置を提供することができる。
【発明を実施するための最良の形態】
【０００６】
次に、本発明の内容を詳細に説明するが、本発明はこれら実施の形態に何ら限定されるものではない。
【０００７】
図１は、本発明の実施の形態にかかるチャンネル変更装置１の構成図で、テレビジョン受像機等の電源スイッチである電源ボタン２、お好みのチャンネルを登録するための登録ボタン３、お好みのチャンネルを確認するためのお勧めボタン４、放送番組の選局を行なうチャンネルボタン５、チャンネルのジャンル（スポーツ、ドラマ、ニュース、音楽等）を指定するためのジャンルボタン６等から構成される。
【０００８】
お好みのチャンネルの登録は、従来行なわれている方式を用いることができる。例えば、特許文献１、特許文献２に記載されているような、ユーザーが登録する方式や、チャンネル履歴情報に基づく方式等を利用することができる。ユーザーが登録する場合は、お好みのチャンネルのチャンネルボタン５を押し、次に登録ボタン３を押して、該当するジャンルのジャンルボタン６を押す。この操作により、お好みのチャンネルをジャンルとともにメモリ等の記憶装置に記憶させ登録することができる。チャンネル履歴情報に基づく場合は、押されたチャンネルボタン５が、時刻情報（曜日、時刻等）及びジャンル情報（映像信号と共に送信される）とともにチャンネル履歴情報として記憶装置に記憶されるように構成されている。チャンネル履歴情報に基づく方式の場合は、登録ボタン３、ジャンルボタン６は必ずしも必要ではない。なお、お好みのチャンネルの登録は、これらの方式に限定されるものではなく、他の方式でもかまわない。
【０００９】
次に、お好みのチャンネルの確認方法を説明する。なお、以下の説明においては、お好みのチャンネルが事前に登録されているものとして説明する。
【００１０】
（実施の形態１）
実施の形態１では、図２に示すように、各チャンネルボタン５の内部にＬＥＤ９等の発光部材が設けられている。なお、７はチャンネル変更装置１の筐体で、８は回路基板である。お好みのチャンネルを確認する場合、お勧めボタン４を押すと、事前に登録されているお好みのチャンネルに対応するチャンネルボタン５の内部のＬＥＤ９が発光するように構成されている。従って、チャンネル変更装置１を見て、点灯しているチャンネルボタン５を直感的に認識することができるので、従来に比べてお好みのチャンネルを容易に認識して選択することができる。なお、登録されているお好みのチャンネルを、ジャンル毎に点灯の色を変えるように構成すると、使い勝手は更に向上する。例えば、各チャンネルボタン５の内部に異なった色のＬＥＤを複数個設け、選択的に発光できるように構成することにより、点灯の色を変えることができる。
【００１１】
（実施の形態２）
実施の形態２では、図３に示すように、各チャンネルボタン５に振動部材１０が設けられている。なお、７はチャンネル変更装置１の筐体で、８は回路基板である。振動部材１０としては、例えば、偏平コアレス振動モータ等の小型モータを用いた振動部材を用いることができる。お好みのチャンネルを確認する場合、お勧めボタン４を押すと、事前に登録されているお好みのチャンネルに対応するチャンネルボタン５が振動するように構成されている。従って、チャンネル変更装置１を見ずにチャンネルボタン５に触れるだけでお好みのチャンネルがわかるので、ブラインドタッチで操作することができ操作性は向上する。
【００１２】
（実施の形態３）
実施の形態３では、図４に示すように、各チャンネルボタン５として、ポップアップ機構１１を有したプッシュボタンを採用することにより、チャンネルボタン５の高さを変更できるように構成されている。なお、７はチャンネル変更装置１の筐体で、８は回路基板である。お好みのチャンネルを確認する場合、お勧めボタン４を押すと、事前に登録されているお好みのチャンネルに対応するチャンネルボタン５の高さが高くなるように構成されている。従って、実施の形態２と同様に、チャンネル変更装置１を見ずにチャンネルボタン５に触れるだけでお好みのチャンネルがわかるので、ブラインドタッチで操作することができ操作性は向上する。なお、登録されているチャンネルに対応するチャンネルボタン５の高さを低くしたり、または、他のチャンネルボタン５の高さを変更するように構成してもよい。
【００１３】
（実施の形態４）
実施の形態４では、図５に示すように、液晶パネル１２等の表示装置が、チャンネル変更装置１に設けられている。お好みのチャンネルを確認する場合、お勧めボタン４を押すと、事前に登録されているお好みのチャンネルが液晶パネル１２に表示されるように構成されている。従って、チャンネル変更装置１の液晶パネル１２を見てお好みのチャンネルを選択することができるので、操作性は向上する。
【００１４】
（実施の形態５）
実施の形態５では、図６に示すように、液晶パネル１３等の表示装置がタッチパネルとして、チャンネル変更装置１に設けられている。チャンネル変更装置１は、複数の機器の操作をすることができ、機器切換ボタン１４を押して所望の機器の選択を行い、選択された機器に関係する操作キーと機器名が液晶パネル１３に表示されるように構成されている。図６は、機器としてテレビが選択され、チャンネルに対応する操作キーが表示されている。お好みのチャンネルを確認する場合、お勧めボタン４を押すと、事前に登録されているお好みのチャンネルの操作キーのみが液晶パネル１３に表示され、他のチャンネルの操作キーは表示されないように構成されている。従って、チャンネル変更装置１の液晶パネル１３を見て、お好みのチャンネルを容易に認識し選択することができるので、操作性は向上する。なお、お好みのチャンネルの操作キーと他の操作キーの識別方法は、他のチャンネルの操作キーの表示を暗くしたり、液晶パネル１３がカラーであれば操作キーの色を変える等、種々の変更が可能である。
【図面の簡単な説明】
【００１５】
【図１】本発明の実施の形態にかかるチャンネル変更装置の構成図。
【図２】本発明の実施の形態１にかかるチャンネルボタンの構成図。
【図３】本発明の実施の形態２にかかるチャンネルボタンの構成図。
【図４】本発明の実施の形態３にかかるチャンネルボタンの構成図。
【図５】本発明の実施の形態４にかかるチャンネル変更装置の構成図。
【図６】本発明の実施の形態５にかかるチャンネル変更装置の構成図。
【符号の説明】
【００１６】
１      チャンネル変更装置
２      電源ボタン
３      登録ボタン
４      お勧めボタン（操作手段）
５      チャンネルボタン
６      ジャンルボタン
７      筐体
８      回路基盤
９      ＬＥＤ
１０    振動部材
１１    ポップアップ機構
１２    液晶パネル（表示手段）
１３    液晶パネル（表示手段）
１４    機器切換ボタン
【図１】
2005167729.tif 000003
【図２】
2005167729.tif 000004
【図３】
2005167729.tif 000005
【図４】
2005167729.tif 000006
【図５】
2005167729.tif 000007
【図６】
2005167729.tif 000008